(57)【要約】【課題】携帯電話その他の情報端末で重要な文書を撮影して得た画像データを、公衆ネットワーク上の所望の送信先に安全に送信する。【解決手段】紙などに記載された文書を携帯電話１で撮影し、得られた文書画像を移動体通信網５を介して送信側サーバ２に送信し、送信側サーバ２は、インターネット６上のＶＰＮ８を介して文書画像を受信側サーバ４に送信し、受信側サーバ４は送信側サーバ２から受信した文書画像を保存する。移動体通信網５およびＶＰＮ８での文書画像の不正取得や改竄は困難であるため、携帯電話１で撮影した文書画像を安全に遠隔の受信側サーバ４に送信できる。【選択図】  図１
2010178289.tif 000002
【特許請求の範囲】
【請求項１】
情報通信端末が、言語により情報を表現するデータを含む言語的コンテンツを取得するステップと、所定の移動体通信キャリアの通信規格に従って送信側サーバと接続し、前記送信側サーバに前記言語的コンテンツを送信するステップとを実行し、
前記送信側サーバが、前記所定の移動体通信キャリアの通信規格に従って前記言語的コンテンツを受信するステップと、公衆ネットワーク上の仮想的な専用通信路を介して受信側サーバと接続し、前記受信側サーバに前記言語的コンテンツを送信するステップとを実行し、
前記受信サーバが、前記仮想的な専用通信路を介して前記言語的コンテンツを受信するステップと、前記受信した言語的コンテンツを保存するステップとを実行する言語的コンテンツ管理方法。
【請求項２】
前記情報通信端末が、前記言語的コンテンツとともに前記情報通信端末の識別情報を送信するステップを実行し、
前記送信側サーバが、各情報通信端末の識別情報に対応する送信先情報を送信先データベースに格納するステップと、前記所定の移動体通信キャリアの通信規格に従って前記言語的コンテンツとともに前記情報通信端末の識別情報を受信するステップと、前記送信先データベースにおいて前記受信した識別情報に対応する送信先情報で特定される受信側サーバに、前記言語的コンテンツを送信するステップとを実行する請求項１に記載の言語的コンテンツ管理方法。
【請求項３】
前記送信側サーバが、前記言語的コンテンツとともに前記情報通信端末の識別情報を送信するステップを実行し、
前記受信側サーバが、各情報通信端末の識別情報に対応する格納先情報を格納先データベースに格納するステップと、前記仮想的な専用通信路を介して前記言語的コンテンツとともに前記情報通信端末の識別情報を受信するステップと、前記格納先データベースにおいて前記受信した識別情報に対応する格納先情報で特定される格納先に前記言語的コンテンツを格納するステップとを実行する請求項２に記載の言語的コンテンツ管理方法。
【請求項４】
前記情報通信端末が、前記送信側サーバに送信した言語的コンテンツを所定の記憶媒体から削除するステップを実行する請求項１〜３のいずれかに記載の言語的コンテンツ管理方法。
【請求項５】
前記情報通信端末が、文書を含む被写体の撮影の際に撮影画角を表示するステップを実行する請求項１〜４のいずれかに記載の言語的コンテンツ管理方法。
【請求項６】
前記情報通信端末が、取得された言語的コンテンツを表示するステップを実行する請求項１〜５のいずれかに記載の言語的コンテンツ管理方法。
【請求項７】
前記情報通信端末が、取得された言語的コンテンツを送信する指示が入力されたことに応じて前記送信側サーバに前記言語的コンテンツを送信するステップを実行する請求項１〜６のいずれかに記載の言語的コンテンツ管理方法。
【請求項８】
前記言語的コンテンツは、文書を含む被写体を撮影して得られた画像データおよび集音された発話内容を示す音声データのうち少なくとも一方を含む請求項１〜７のいずれかに記載の言語的コンテンツ管理方法。
【請求項９】
言語により情報を表現するデータを含む言語的コンテンツを取得する言語的コンテンツ取得部と、所定の移動体通信キャリアの通信規格に従って送信側サーバと接続し、前記送信側サーバに前記言語的コンテンツを送信する端末送信部と、を有する情報通信端末と、
前記所定の移動体通信キャリアの通信規格に従って前記言語的コンテンツを受信する送信側サーバ受信部と、公衆ネットワーク上の仮想的な専用通信路を介して受信側サーバと接続し、前記受信側サーバに前記言語的コンテンツを送信する送信側サーバ送信部と、を有する送信側サーバと、
前記仮想的な専用通信路を介して前記言語的コンテンツを受信する受信側サーバ受信部と、前記受信した言語的コンテンツを保存する保存部と、を有する受信側サーバと、
を備える言語的コンテンツ管理システム。
【請求項１０】
前記仮想的な専用通信路はＶＰＮ（Virtual Private Network）を含む請求項９に記載の言語的コンテンツ管理システム。
【請求項１１】
前記送信側サーバとの間で前記仮想的な専用通信路を確立する通信路確立装置を備える請求項９または１０に記載の言語的コンテンツ管理システム。
【請求項１２】
前記通信路確立装置は、前記公衆ネットワークから前記受信側サーバへのアクセス経路を前記仮想的な専用通信路に制限する請求項１１に記載の言語的コンテンツ管理システム。
【請求項１３】
前記通信路確立装置は、前記公衆ネットワークと前記受信側サーバの接続されたＬＡＮ（Local Area Network）との間に設けられたゲートウェイであり、前記送信側サーバから前記公衆ネットワークおよび前記ＬＡＮを経由した前記受信側サーバへのアクセス経路を前記仮想的な専用通信路に制限する請求項１２に記載の言語的コンテンツ管理システム。
【請求項１４】
送信側サーバが、所定の移動体通信キャリアの通信規格に従って言語により情報を表現するデータを含む言語的コンテンツを情報通信端末から受信するステップと、公衆ネットワーク上の仮想的な専用通信路を介して受信側サーバと接続し、前記受信側サーバに前記言語的コンテンツを送信するステップとを実行する言語的コンテンツ管理方法。
【請求項１５】
前記受信サーバが、前記仮想的な専用通信路を介して前記言語的コンテンツを受信するステップと、前記受信した言語的コンテンツを保存するステップとを実行する請求項１４に記載の言語的コンテンツ管理方法。
【請求項１６】
請求項１４に記載の言語的コンテンツ管理方法を前記送信側サーバに実行させるための言語的コンテンツ管理プログラム。
【請求項１７】
請求項１５に記載の言語的コンテンツ管理方法を前記受信側サーバに実行させるための言語的コンテンツ管理プログラム。
【請求項１８】
所定の移動体通信キャリアの通信規格に従って言語により情報を表現するコンテンツデータである言語的コンテンツを情報通信端末から受信する受信部と、公衆ネットワーク上の仮想的な専用通信路を介して言語的コンテンツ受信装置と接続し、前記言語的コンテンツ受信装置に前記受信部の受信した言語的コンテンツを送信する送信部とを備える言語的コンテンツ送信装置。
【請求項１９】
請求項１８に記載の言語的コンテンツ送信装置から、前記仮想的な専用通信路を介して前記言語的コンテンツを受信する言語的コンテンツ受信部と、前記言語的コンテンツ受信部の受信した言語的コンテンツを保存する保存部とを備える言語的コンテンツ受信装置。
【請求項２０】
前記言語的コンテンツ受信部の受信した言語的コンテンツに含まれる文書を文書データに変換して出力する文書データ変換部を備え、前記保存部は前記文書データ変換部の出力した文書データを保存する請求項１９に記載の言語的コンテンツ受信装置。
【発明の詳細な説明】
【技術分野】
【０００１】
本発明は、インターネットその他の公衆ネットワークを経由して携帯電話その他の情報通信端末から所望のコンピュータに重要な文書、音声その他の言語的コンテンツを安全に送信する技術に関する。
【背景技術】
【０００２】
特許文献１では、携帯電話は、カメラにより撮影された対象物の画像データを表示部に表示し、この画像データに含まれる文字領域の範囲をキー入力部により指定し、この画像データ及び指定された文字領域の範囲情報を通信ネットワークＮを介して画像処理サーバに送信する。そして、画像処理サーバは、内部に有する文字認識機能により携帯電話から受信した画像データに含まれる文字を認識してテキストデータに変換して、このテキストデータを携帯電話に送信する。また、携帯電話は、画像処理サーバから送信されたテキストデータを受信する。
【０００３】
特許文献２では、CCDカメラは、被写体を撮像し、得られた画像データをメモリに記憶させる。表示画像生成部は、メモリに記憶されている画像データを読み出し、LCDに表示させる。ユーザは、その表示を見ながら、操作部を操作して、認識対象となる画像の始点および終点を選択する。画像処理／文字認識部は、選択された画像領域を文字認識し、その認識結果をメモリに記憶させる。表示画像生成部は、メモリに記憶されている文字認識結果の文字列データを読み出し、LCDに表示させる。本発明は、携帯電話機などの携帯型情報端末装置に適用することができる。
【０００４】
特許文献３では、携帯カメラで撮影した画像中から所定の領域を文字認識して表示する。
【０００５】
特許文献４では、移動先の現場において、ユーザが、デジタルカメラや、カメラ付きＰＤＡ・携帯パソコン等のモバイル情報機器（端末）で収集したデジタル画像データや音声データは、ネットワークを介して送信され、データ処理を行うサーバで受信される。サーバでは、その受信したデジタル画像データを、所定のドキュメントフォーマットに編集し、また、受信した音声データも上記ドキュメントフォーマットの所定の領域に、音声コード画像又はテキストイメージとして貼り付ける。そして、この画像とテキストや音声コードが貼り付いたドキュメントは、特定用途の報告書として記録媒体に保存されたり、紙ドキュメントとして印刷したり、ネットワークを介して特定のサイトに送信される。
【０００６】
特許文献５では、可搬性の情報端末内のデータについて、情報端末上で動作するアプリケーション等の任意のモジュールに関連するデータとして１つのイメージファイルとして分離し、１つのイメージファイルに対して、秘密分散技術を適用して複数個のシェアファイルを作成し、シェアファイルを情報端末と、無線通信が可能な携帯通信端末、または、管理サーバに分けて保存し、情報端末の紛失・盗難が発生した場合、携帯通信端末の無線通信機能を使用して、遠隔操作により携帯通信端末内に保存されているシェアファイルを消去することにより、情報端末内の重要データを完全に消去した場合と同等の効果を得ることができるようにする。
【先行技術文献】
【特許文献】
【０００７】
【特許文献１】特開２００２−３５２１９０号公報
【特許文献２】特開２００５−１３４９６８号公報
【特許文献３】ＷＯ２００４／１０９５８７
【特許文献４】特開２００２−４１５０２号公報
【特許文献５】特開２００８−１３９９９６号公報
【発明の概要】
【発明が解決しようとする課題】
【０００８】
特許文献１〜４では、サーバにデータを送信する際のセキュリティに関する考慮がされていない。特許文献５は、遠隔操作が不可能な場合にファイルを消去できない。
【０００９】
本発明は、携帯電話その他の情報端末で重要な文書を撮影して得た画像データや重要な会話内容を録音して得た音声データを、公衆ネットワーク上の所望の送信先に安全に送信することを目的とする。
【課題を解決するための手段】
【００１０】
本発明に係る言語的コンテンツ管理方法は、情報通信端末が、言語により情報を表現するデータを含む言語的コンテンツを取得するステップと、所定の移動体通信キャリアの通信規格に従って送信側サーバと接続し、送信側サーバに言語的コンテンツを送信するステップとを実行し、送信側サーバが、所定の移動体通信キャリアの通信規格に従って言語的コンテンツを受信するステップと、公衆ネットワーク上の仮想的な専用通信路を介して受信側サーバと接続し、受信側サーバに言語的コンテンツを送信するステップとを実行し、受信サーバが、仮想的な専用通信路を介して言語的コンテンツを受信するステップと、受信した言語的コンテンツを保存するステップとを実行する。
【００１１】
好ましくは、情報通信端末が、言語的コンテンツとともに情報通信端末の識別情報を送信するステップを実行し、送信側サーバが、各情報通信端末の識別情報に対応する送信先情報を送信先データベースに格納するステップと、所定の移動体通信キャリアの通信規格に従って言語的コンテンツとともに情報通信端末の識別情報を受信するステップと、送信先データベースにおいて受信した識別情報に対応する送信先情報で特定される受信側サーバに、言語的コンテンツを送信するステップとを実行する。
【００１２】
好ましくは、送信側サーバが、言語的コンテンツとともに情報通信端末の識別情報を送信するステップを実行し、受信側サーバが、各情報通信端末の識別情報に対応する格納先情報を格納先データベースに格納するステップと、仮想的な専用通信路を介して言語的コンテンツとともに情報通信端末の識別情報を受信するステップと、格納先データベースにおいて受信した識別情報に対応する格納先情報で特定される格納先に言語的コンテンツを格納するステップとを実行する。
【００１３】
好ましくは、情報通信端末が、送信側サーバに送信した言語的コンテンツを所定の記憶媒体から削除するステップを実行する。
【００１４】
こうすると、情報通信端末に文書画像が残らず、後で不正使用されるのを防げる。
【００１５】
好ましくは、情報通信端末が、文書を含む被写体の撮影の際に撮影画角を表示するステップを実行する。
【００１６】
好ましくは、情報通信端末が、取得された言語的コンテンツを表示するステップを実行する。
【００１７】
好ましくは、情報通信端末が、取得された言語的コンテンツを送信する指示が入力されたことに応じて送信側サーバに言語的コンテンツを送信するステップを実行する。
【００１８】
好ましくは、言語的コンテンツは、文書を含む被写体を撮影して得られた画像データおよび集音された発話内容を示す音声データのうち少なくとも一方を含む。
【００１９】
本発明に係る言語的コンテンツ管理システムは、言語により情報を表現するデータを含む言語的コンテンツを取得する言語的コンテンツ取得部と、所定の移動体通信キャリアの通信規格に従って送信側サーバと接続し、送信側サーバに言語的コンテンツを送信する端末送信部と、を有する情報通信端末と、所定の移動体通信キャリアの通信規格に従って言語的コンテンツを受信する送信側サーバ受信部と、公衆ネットワーク上の仮想的な専用通信路を介して受信側サーバと接続し、受信側サーバに言語的コンテンツを送信する送信側サーバ送信部と、を有する送信側サーバと、仮想的な専用通信路を介して言語的コンテンツを受信する受信側サーバ受信部と、受信した言語的コンテンツを保存する保存部と、を有する受信側サーバと、を備える。
【００２０】
好ましくは、仮想的な専用通信路はＶＰＮ（Virtual Private Network）を含む。
【００２１】
好ましくは、送信側サーバとの間で仮想的な専用通信路を確立する通信路確立装置を備える。
【００２２】
好ましくは、通信路確立装置は、公衆ネットワークから受信側サーバへのアクセス経路を仮想的な専用通信路に制限する。
【００２３】
好ましくは、通信路確立装置は、公衆ネットワークと受信側サーバの接続されたＬＡＮ（Local Area Network）との間に設けられたゲートウェイであり、送信側サーバから公衆ネットワークおよびＬＡＮを経由した受信側サーバへのアクセス経路を仮想的な専用通信路に制限する。
【００２４】
好ましくは、送信側サーバが、所定の移動体通信キャリアの通信規格に従って言語により情報を表現するデータを含む言語的コンテンツを情報通信端末から受信するステップと、公衆ネットワーク上の仮想的な専用通信路を介して受信側サーバと接続し、受信側サーバに言語的コンテンツを送信するステップとを実行する。
【００２５】
好ましくは、受信サーバが、仮想的な専用通信路を介して言語的コンテンツを受信するステップと、受信した言語的コンテンツを保存するステップとを実行する。
【００２６】
この言語的コンテンツ管理方法を送信側サーバに実行させるための言語的コンテンツ管理プログラムも本発明に含まれる。
【００２７】
この言語的コンテンツ管理方法を受信側サーバに実行させるための言語的コンテンツ管理プログラムも本発明に含まれる。
【００２８】
本発明に係る言語的コンテンツ送信装置は、所定の移動体通信キャリアの通信規格に従って言語により情報を表現するコンテンツデータである言語的コンテンツを情報通信端末から受信する受信部と、公衆ネットワーク上の仮想的な専用通信路を介して言語的コンテンツ受信装置と接続し、言語的コンテンツ受信装置に受信部の受信した言語的コンテンツを送信する送信部とを備える。
【００２９】
本発明に係る言語的コンテンツ受信装置は、上記の言語的コンテンツ送信装置から、仮想的な専用通信路を介して言語的コンテンツを受信する言語的コンテンツ受信部と、言語的コンテンツ受信部の受信した言語的コンテンツを保存する保存部とを備える。
【００３０】
好ましくは、言語的コンテンツ受信部の受信した言語的コンテンツに含まれる文書を文書データに変換して出力する文書データ変換部を備え、保存部は文書データ変換部の出力した文書データを保存する。
【発明の効果】
【００３１】
本発明では、紙などに記載された文書を情報通信端末で撮影し、得られた文書画像を移動体通信キャリアのネットワークを介して送信側サーバに送信し、送信側サーバは、公衆ネットワーク上の仮想的な専用通信経路を介して文書画像を受信側サーバに送信し、受信側サーバは送信側サーバから受信した文書画像を保存する。移動体通信キャリアのネットワークおよび仮想的な専用通信経路での文書画像の不正取得や改竄は困難であるため、情報通信端末で撮影した文書画像を安全に遠隔の受信側サーバに送信できる。同様に、情報通信端末で取得した音声についても安全に遠隔の受信側サーバに送信できる。
【図面の簡単な説明】
【００３２】
【図１】画像化文書管理システムの概略構成図
【図２】スルー画を例示した図
【図３】撮影された文書画像を例示した図
【図４】送信側ＤＢに格納された情報を例示した図
【図５】受信側ＤＢに格納された情報を例示した図
【図６】ドキュメントファイルを例示した図
【図７】画像化文書管理システムの処理のフローチャート
【発明を実施するための形態】
【００３３】
図１は本発明の好ましい実施形態に係る画像化文書管理システムの概略構成を示す。このシステムは、携帯電話１と、送信側サーバ２と、ファイアウォール３（以下ＦＷ３と表記）と、受信側サーバ４とを含む。このシステムの主な用途は、携帯電話１で機密内容を含むような文書を被写体として撮影し、当該文書を撮影した画像（文書画像）を送信側サーバ２・ファイアウォール３経由で受信側サーバ４に安全に送ることである。受信側サーバ４に安全に文書画像が到達すれば、その用途は自由であり、文書画像に含まれる文書をテキスト化して保存することも可能である。ただし、文書画像以外のデータ、例えば音声ファイル、音声データ、テキストデータなどを携帯電話１から受信側サーバ４に送って保存させてもよい。また、画像とは典型的には静止画像であるが、動画像、あるいは音声付き動画像でもよい。画像、音声の保存形式は任意であり、例えばJPEGファイル、WAVファイルなどが用いられる。
【００３４】
携帯電話１と送信側サーバ２とは、移動体通信網５で接続されている。移動体通信網５と送信側サーバ２は、同一のキャリア（通信事業者）が管理する。
【００３５】
携帯電話１は、典型的にはカメラ付き携帯電話で構成されるが、移動体通信網５にアクセスできる情報通信端末、例えばデジタルカメラ、カメラ付きＰＤＡ、カメラ付きノートパソコンなどでも代替できる。また、情報通信端末は必ずしも持ち運べなくてもよいが、持ち運びができればどこでも文書画像の取得が可能であり便利である。
【００３６】
携帯電話１は、撮像装置１１、撮影領域表示部１２、表示部１３、制御部１４、操作部１５、記憶部１６を有する。なお、携帯電話１自体が撮像装置１１を内蔵しなくてもよく、携帯電話１に外付けの撮像装置１１を接続してもよい。ただし、セキュリティの関係上、撮像装置１１の撮影画像は、撮像装置１１内部には残らないようにする。
【００３７】
撮像装置１１は、ズームレンズ・フォーカスレンズなどの撮像光学系とその駆動系、撮像光学系を介して受光した被写体像を光電変換するＣＣＤやＣＭＯＳなどの撮像素子、撮像素子からのアナログ画像信号をデジタル画像データに変換するＡＤ変換部、撮像タイミングや撮像光学系の焦点距離・ズーム位置を変化させる駆動系を制御する撮像制御部、画像データにホワイトバランス調整など各種の画像処理を施す画像処理部、各部の動作タイミングを指令するタイミングジェネレータなどを含む。
【００３８】
携帯電話１は、操作部１５の指示に従って、あるいは電源投入に従って自動的に、記憶部１６に記憶された文書画像撮影・送信の専用アプリケーションを起動し、撮影画角を示すスルー画（撮像装置１１から継続的に供給される）の表示を開始する（図２参照）。操作部１５への撮影指示の入力（図２のように画面表示された「撮影」ボタンの押下）を制御部１４が検知すると、制御部１４は、撮像装置１１に対して記録用画像データの取得を開始するよう指示する。撮像装置１１は、当該指示に応じて画像データを取得し、その画像データをＲＡＭなどの書き換え可能な記憶媒体を含む記憶部１６のＲＡＭに一時的に記憶する。なお、操作部１５への撮影キャンセル指示の入力（図２のように画面表示された「終了」ボタンの押下）を制御部１４が検知すると、制御部１４は、スルー画の取得を停止するよう撮像装置１１に指示し、通常の通話機能を有する待ち受け状態にする。この待ち受け状態では、通話機能のみが有効であり、撮像装置１１の動作ないしその撮像指示を開始させる操作部１５への入力は制御部１４により禁止ないし無視（ロック）され、勝手に機密文書が撮影されないようになっている。
【００３９】
操作部１５への保存指示の入力（図３のように画面表示された「保存」ボタンの押下）を制御部１４が検知すると、制御部１４は、記憶部１６のＲＡＭに記憶された当該画像データに所定の形式（ＪＰＥＧなど）に従った圧縮処理を施して画像ファイルを作成し、これを記憶部１６に記憶する。なお、操作部１５への保存キャンセル指示の入力（図３のように画面表示された「戻る」ボタンの押下）を制御部１４が検知すると、制御部１４は、記憶部１６のＲＡＭに記憶された当該画像データを破棄し、スルー画の表示を再開する。
【００４０】
撮影領域表示部１２は、撮影画角を示すスルー画（図２参照）を表示部１３に表示する。表示部１３は液晶ディスプレイなどで構成され、制御部１４の制御に従って、撮像装置１１のスルー画像あるいは撮影済みの画像（図３参照）を表示する。
【００４１】
制御部１４は、ＣＰＵなどの演算処理に必要な回路を備えており、携帯電話１の動作を統括制御する。制御部１４の制御は当該ＲＡＭ、ＲＯＭを含む記憶部１６に記憶されたプログラムに従って行われる。携帯電話１による撮影からデータ送信までの一連の処理を制御部１４に実行させるプログラム（アプリケーション）はプリインストールでもよいし、必要に応じて移動体通信網５経由で送信側サーバ２からダウンロードできてもよいが、いずれにせよそのような専用のアプリケーションが携帯電話１に保存されているものとする。
【００４２】
操作部１５は、各種の操作ボタンやキーなどユーザの指示を検知する手段あるいはそれらの代替物（音声による指示の認識回路など）で構成される。ユーザから入力された指示の検知結果は制御部１４に入力され、制御部１４はこれを解釈して対応する制御を行う。本実施形態でユーザの入力可能な指示は、撮影開始、画像保存、撮影終了、画像保存キャンセルであるが、撮影と画像送信に関わらないその他の指示（音声通話先の電話番号の入力、メール送受信など）は入力可能としてもよい。
【００４３】
記憶部１６は、ＲＡＭ、ＲＯＭ、ＥＥＰＲＯＭ、メモリカード、ハードディスクなどで構成できる。記憶部１６には、携帯電話１を一意に識別する識別情報（ＩＤ）が記憶されている。典型的にはＩＤは数字、文字、記号、符号もしくはそれらの組み合わせであるが、一意な情報であればこれに限らず何でもよい。不正に改竄されるのを防ぐため、ＩＤは書き換え不可能な記憶媒体（記憶部１６のＲＯＭ）に記憶される。図１では携帯電話１は１つしか示していないが、実際には複数存在してもよく、この場合、その各々の携帯電話１の記憶するＩＤは異なるものとする。
【００４４】
通信装置１７は、制御部１４の制御に従い、移動体通信網５経由で送信側サーバ２と所望のデータの送受信を行う。その通信規格は移動体通信網５を保有あるいは利用するキャリアの定めたもの（例えばＷ−ＣＤＭＡ、ＣＤＭＡ２０００）に従う。キャリアの通信規格に従って送受信されるデータのコンテンツは何でもよく、例えば、通話音声、画像（静止画、動画）、テキスト（メール含む）、ハイパーテキストファイル（ウェブページを含む）、プログラム（アプレットを含む）などが考えられる。制御部１４は、通信装置１７が正常に文書画像を送信側サーバ２に送信したことに応じて、当該文書画像を記憶部１６から削除する。すなわち、送った文書画像が後から不正に利用されないようにする。なお、記憶部１６の文書画像や音声を一旦ファイルとして保存せず、取得したデータをそのまま通信装置１７を介して送信側サーバ２に送信してもよい。このファイルを保存しない場合の画像・音声のデータ送信方式としては、例えば、動画にMPEG-4ビジュアル、音声にAMRを用いる「3G-324M」規格のテレビ電話機能（３Ｇ携帯電話に付属）を用いればよい。
【００４５】
送信側サーバ２は、移動体通信網５を介して携帯電話１から送信されてくるデータを受信する。例えば、送信側サーバ２は、画像およびその付帯情報である、当該画像を撮影した携帯電話１のＩＤを携帯電話１から受信する。付帯情報には撮影日時や撮影者などの各種情報が含まれていてもよい。送信側サーバ２は、移動体通信網５と接続されており、移動体通信網５を介したデータの送受信はその通信規格（プロトコル）はキャリアの定めたものに従い、インターネットに接続される一般的なサーバ（ウェブサーバ、メールサーバ）とはプロトコルが異なる。よって、インターネット６で採用されるプロトコルに準拠した情報端末が移動体通信網５を介して直接携帯電話１にアクセスすることはできない。
【００４６】
なお、携帯電話１とインターネットのメールサーバやウェブサーバとを接続するには、その間に相互のプロトコルを変換するゲートウェイサーバを介在させる必要がある。ただし、機密文書の画像が不正に受信側サーバ４以外の送信先に送られるのを防ぐため、送信側サーバ２以外のゲートウェイサーバ（特にメールサーバ）は置かないか、あるいはそのようなゲートウェイサーバが置かれたとしても携帯電話１はそれにアクセスしてデータ特に文書画像を送れないものとする。
【００４７】
送信側サーバ２は、送信側携帯端末情報管理ＤＢ２１（以下送信側ＤＢ２１と表記）、仮想通信路作成部２２を有するコンピュータである。図示しないが、送信側サーバ２は、公知のコンピュータと同様、演算装置、記憶装置、通信装置、データＩ／Ｏ装置、操作装置、表示装置などを備えている。送信側ＤＢ２１は、ハードディスクなどで構成され、携帯電話１のＩＤと文書画像の送信先となる受信側サーバ４を示す送信先アドレスとを対応づけて記憶する（図４参照）。両者の対応づけは管理者権限のあるユーザが操作装置から任意に編集・追加・削除でき、図示の内容は例示にすぎない。
【００４８】
仮想通信路作成部２２は、ＦＷ３の仮想通信路作成部３１との間でＶＰＮ８（Virtual Private Network）を形成している。このＶＰＮ８のバックボーンはインターネット６であるが、送信側サーバ２の仮想通信路作成部２２とＦＷ３の仮想通信路作成部３１との間で仮想的に開通された経路を通る通信データパケットはIPSecなどで暗号化されて、アクセス制限部３２により復号化されたのち、ＬＡＮ９を介して受信側サーバ４に転送される。またＶＰＮ８の形成されていない情報端末からのアクセスはアクセス制限部３２による認証で制限されており、通信の機密性が確保されている。すなわち、ＦＷ３は、ＶＰＮ８を介した受信側サーバ４との通信のみを許可し、情報端末による、ＶＰＮ８を介さないままのインターネット６からＬＡＮ９へのアクセスを拒否する。通信の機密性が確保されていれば、仮想通信路作成部２２とＦＷ３との間の通信は「ＶＰＮ」という名称のネットワークでなくてもよい。またＶＰＮ８のバックボーンは「インターネット」でなく、それ以外の名称の公衆コンピュータネットワークでもよいし、インターネット６とそれ以外の公衆コンピュータネットワークの複合でもよい。
【００４９】
ＦＷ３は、インターネット６とＬＡＮ９との接続を仲介するゲートウェイの役割を果たす。ＦＷ３は、パソコンでもよいしＶＰＮ８機能を有したハードウェア（ルーター）でもよい。ＦＷ３は、受信側サーバ４と一体でもよい。ＦＷ３と受信側サーバ４とはＬＡＮ９で接続されているが、ＦＷ３と受信側サーバ４が一体であれば、ＬＡＮ９はなくてもよい。
【００５０】
仮想通信路作成部２２は、送信側ＤＢ２１を参照し、携帯電話１から受信した画像に付帯するＩＤに対応する送信先アドレスを特定する。受信側サーバ４がＬＡＮ９上で一意的なローカルＩＰアドレスを割り当てられていれば、送信側ＤＢ２１で管理される送信先アドレスは、ＬＡＮ９上のローカルＩＰアドレスとする。実際にはローカルＩＰアドレスにＦＷ３のグローバルＩＰアドレスが加わって初めてインターネット６上で受信側サーバ４を一意的に特定できるが、ＶＰＮ８が１つしかなければ送信側サーバ２・受信側サーバ４間のネットワークはＬＡＮ９と同視され、当該ローカルＩＰアドレスのみで受信側サーバ４を一意的に特定できる。またＮＡＴ（Network Address Translation）のような公知技術を用いるとローカルＩＰアドレスをそのままグローバルＩＰアドレスに利用できる。受信側サーバ４がＦＷ３と一体化されておりインターネット６の一意的なグローバルＩＰアドレスの割り当てを受けていれば、送信側ＤＢ２１で管理される送信先アドレスは、受信側サーバ４のグローバルＩＰアドレスでもよい。また、図１ではＶＰＮ８や受信側サーバ４やＬＡＮ９は１つであるが、これらが複数存在してもよく、それらはローカルＩＰアドレスのみ割り当てられているもの、グローバルＩＰアドレスのみ割り当てられているもの、あるいは両者が混在していてもよく、要するに送信側ＤＢ２１で管理される送信先アドレスは、ＶＰＮ８で接続された受信側サーバ４の中から１つを一意的に特定できればよい。
【００５１】
仮想通信路作成部２２は、ＦＷ３の内側にある、上記特定された送信先アドレスの割り当てられた受信側サーバ４にＬＡＮ経由で接続し、所望のデータを送る。
【００５２】
受信側サーバ４は、公知のパソコンで構成され、文字認識処理部４１、データ変換部４２、制御部４３、受信側携帯端末情報管理ＤＢ４４（以下受信側ＤＢ４４と表記）を備える。文字認識処理部４１は、携帯電話１から送信側サーバ２−ＶＰＮ８−ＦＷ３−ＬＡＮ９を介して受信した画像から文字を認識する。データ変換部４２は、文字認識処理部４１が画像から認識した当該文字をテキストデータ（図６参照）に変換し、当該テキストデータを記録するドキュメントファイルを作成する。その処理は特許文献２あるいはＯＣＲのような公知技術と同様に行えばよい。
【００５３】
受信側ＤＢ４４は、全ての携帯電話１のＩＤと携帯電話１から送られてきた文書画像、そのドキュメントファイル、その他の各種データの保存先ディレクトリを示すディレクトリ情報とを対応づけて記憶している（図５参照）。両者の対応づけは管理権限のあるユーザにより操作装置から任意に編集・追加・削除でき、図示の内容は例示にすぎない。なお、保存先ディレクトリは受信側サーバ４のローカルディレクトリでなく、受信側サーバ４とＬＡＮで接続された別のコンピュータのネットワークディレクトリでもよい。
【００５４】
制御部４３は、受信側ＤＢ４４を参照し、携帯電話１から受信した文書画像に付帯するＩＤに対応するディレクトリ情報を特定し、特定したディレクトリ情報に対応するディレクトリに、当該文書画像から変換されたドキュメントファイルを保存する。
【００５５】
なお、文字認識処理部４１、データ変換部４２は、携帯電話１や送信側サーバ２に存在してもよく、この場合携帯電話１や送信側サーバ２は文書画像の代わりに変換後のテキストデータもしくはドキュメントファイルを送信する。
【００５６】
図７は本システムで実行される処理のフローチャートを示す。携帯電話１はＳ１〜Ｓ５、送信側サーバ２はＳ６〜Ｓ８、ＦＷ３はＳ９〜Ｓ１０、受信側サーバ４はＳ１１〜Ｓ１４を実行する。これらの処理を各々に実行させるためのプログラムは各々の記憶媒体に記憶されており、このプログラムを各々が有する制御部ないしＣＰＵが解釈実行する。この記憶媒体はＲＯＭ、ＲＡＭのような半導体装置の他、メモリカード、ＤＶＤ、ＣＤ−ＲＯＭのような可搬性記憶媒体であってもよく、要するにプログラムの格納先はコンピュータ読取可能な記憶媒体であれば何でもよい。あるいはインターネット６を介して所定のサーバからプログラムを配信してもよい。
【００５７】
Ｓ１では、携帯電話１は、アプリケーションを起動して撮像装置１１をスタンバイにする。これに応じてスルー画の表示が開始する（図２参照）。
【００５８】
Ｓ２では、携帯電話１は、撮影指示の入力に応じて記録用画像データの取得を開始する。被写体は文書を含むものとする。得られた画像データは記憶部１６に保存される。
【００５９】
Ｓ３では、携帯電話１は、記憶部１６に保存された記録用画像データを、表示部１３に表示する（図３参照）。
【００６０】
Ｓ４では、携帯電話１は、画像の保存指示の入力に応じて、Ｓ５に進む。
【００６１】
Ｓ５では、記録用画像データを所定の形式の画像ファイルに変換し、記憶部１６に保存する。その際、当該画像ファイルの付帯情報（タグ情報、ヘッダ情報など）として、記憶部１６に記憶されているＩＤを書き込む。そして、移動体通信網５を介してその画像ファイルを送信側サーバ２に送信する。送信の完了後当該画像ファイルを記憶部１６から削除する。
【００６２】
Ｓ６では、送信側サーバ２は、移動体通信網５を介して携帯電話１から受信した画像ファイルに付帯するＩＤと、送信側ＤＢ２１に記憶されたＩＤとを照合し、受信したＩＤが送信側ＤＢ２１に記憶されたＩＤのうちのいずれかと一致するか否かを判断する。一致するものがあれば、携帯電話１は正規の送信元であると認証し、画像ファイルを所定の記憶媒体に取り込む。一致するものがなければ、受信した画像ファイルを破棄する。
【００６３】
Ｓ７では、送信側サーバ２は、送信側ＤＢ２１を参照し、受信したＩＤに対応する送信先アドレスを特定する。
【００６４】
Ｓ８では、送信側サーバ２は、受信した画像と付帯情報（ＩＤなど）を暗号化し、特定した送信先アドレスの割り当てられたＬＡＮ９に接続するＶＰＮ８を介してＦＷ３に暗号化された画像および付帯情報を送信する。画像・音声はＶＰＮ８を介して暗号化されて送信されれば足り、画像・音声データそのものの転送方式（プロトコル）は任意である。例えば、画像・音声ファイルを送信するにはＶＰＮ８とＦＴＰ（File Transfer Protocol）を組み合わせるとよい。あるいは、携帯電話１からファイルにパッキングされていない画像・音声データを受信した場合、ＲＴＰ（Realtime Transport Protocol）などのストリーミング送信方式をＶＰＮ８と組み合わせて当該受信した画像・音声データを送信すればよい。
【００６５】
Ｓ９では、ＦＷ３は、ＶＰＮ８を介して、画像と付帯情報を送信側サーバ２から受信し、復号化する。
【００６６】
Ｓ１０では、ＦＷ３は、復号化した画像と付帯情報を受信側サーバ４にＬＡＮ９経由で送信する。
【００６７】
Ｓ１１では、受信側サーバ４は、受信した画像から文字認識処理を行い、テキストデータに変換する。なお、受信した画像がストリーミングデータのように単体の静止画でなくても、キャプチャリングにより静止画に変換すれば、そこから文字認識処理が可能である。
【００６８】
Ｓ１２では、受信側サーバ４は、テキストデータをドキュメントファイルに変換する。
【００６９】
Ｓ１３では、受信側サーバ４は、受信側ＤＢ４４を参照し、受信した付帯情報に含まれるＩＤに対応するディレクトリ情報を特定する。
【００７０】
Ｓ１４では、受信側サーバ４は、ドキュメントファイルをＳ１３で特定したディレクトリ情報に対応するディレクトリに保存する。なお、ドキュメントファイルとともに文書画像やその付帯情報も合わせてディレクトリに保存してもよいし、ドキュメントファイルを作成せず文書画像そのものをディレクトリに保存してもよい。
【００７１】
以上のように、紙などに記載された文書を携帯電話１で撮影し、得られた文書画像を移動体通信網５を介して送信側サーバ２に送信し、送信側サーバ２は、インターネット６上のＶＰＮ８を介して文書画像を受信側サーバ４に送信し、受信側サーバ４は送信側サーバ２から受信した文書画像を保存する。移動体通信網５およびＶＰＮ８での文書画像の不正取得や改竄は困難であるため、携帯電話１で撮影した文書画像を安全に遠隔の受信側サーバ４に送信できる。
【００７２】
なお、文書画像以外の各種データ、例えば音声ファイルやプログラムやテキストデータそのものも上記の通信経路を経由して安全に送信できるのであって、本発明の適用範囲は画像データの送信のみに限定されるのではない。特に、携帯電話１がマイクから集音された音声を音声データないし音声ファイルに記録する音声記録部（ボイスメモという名称でよく知られている）を有していれば、携帯電話１は、文書画像の代わりにあるいは文書画像とともに重要文書を朗読した音声をデジタル変換した音声データか、それを記録した音声ファイルを送信し、文字認識処理部４１は音声認識技術を用いて音声データないし音声ファイルから音声内容を認識し、データ変換部４２は認識された音声内容をドキュメントファイルに変換して受信側ＤＢ４４で指定されるディレクトリに保存することもできる。携帯電話１の操作部１５を介して入力された文字列を示すテキストデータも上記の通信経路を経由して安全に送信できる。この場合、受信側サーバ９はテキストデータをそのまま受信側ＤＢ４４で指定されるディレクトリに保存することができる。
【００７３】
なお、上述のように、文字認識処理部４１、データ変換部４２が携帯電話１に設けられている場合、当該音声データから変換されたドキュメントファイルの内容を撮影済み画像と同様に表示部１３に表示して、集音した音声内容を映像で確認させることも可能である。
【００７４】
また、画像と音声の両方を送信する場合、画像から変換されたドキュメントファイル、音声から変換されたドキュメントファイルを照合し、一致する部分、一致しない部分、情報の欠損した部分をハイライト表示などで示した上、ユーザからの確認入力に応じて一方のドキュメントファイルの欠損情報を他方のドキュメントファイルの対応情報で補完して上書き記録してもよい。こうすれば、画像が不明瞭あるいは音声の一方が部分的に不明瞭で対応するドキュメントファイルの情報の一部が欠損した場合でも、明瞭な方でドキュメントファイルを補うことができる。
【符号の説明】
【００７５】
１：携帯電話、２：送信側サーバ、３：ファイアウォール、４：受信側サーバ、５：移動体通信網、６：インターネット、９：ＬＡＮ、１１：撮像装置、２１：送信側ＤＢ、２２仮想通信路作成部、３１：仮想通信路作成部、３２：アクセス制限部、４１：文字認識処理部、４２：データ変換部、４４：受信側ＤＢ
【図１】
2010178289.tif 000003
【図２】
2010178289.tif 000004
【図３】
2010178289.tif 000005
【図４】
2010178289.tif 000006
【図５】
2010178289.tif 000007
【図６】
2010178289.tif 000008
【図７】
2010178289.tif 000009